(57)【要約】【課題】不正具の侵入経路を特定することなく、不正具の侵入を監視する。【解決手段】一体扉ユニット１０Ｂの裏面のほぼ全面に対して、圧電素子ユニット６２を配置することで、圧電素子シート６６の変形に起因する出力電圧を監視するようにした。この監視によって、例えば、施錠されている一体扉ユニット１０Ｂを無理矢理こじ開けて隙間を作り、当該隙間からピアノ線を挿入する行為、或いは、一体扉ユニット１０Ｂに正面から穴を開け、開いた穴からピアノ線を挿入する行為を含む不正行為に対して、圧電素子シート６６に変形が生じ、これを電気的（電圧値）に検出するため、迅速にエラー報知が実行可能であり、結果として、不正行為を未然に防止することができる。【選択図】図４
2015150037.tif 000002
【特許請求の範囲】
【請求項１】
遊技盤が着脱可能な固定枠と、
前記固定枠に対して開閉自在に取り付けられる扉体と、
前記扉体を貫通して侵入し得る貫通部材に対峙するように設けられ、前記貫通部材から受ける圧力に応じて信号を出力する圧力検出手段と、
を有する遊技機。
【請求項２】
前記扉体には、前記固定枠に対する閉止状態で、前記遊技盤の遊技領域に対峙する領域に透過性を有する透過部材が取り付けられ、
前記圧力検出手段が、
前記扉体の裏面側において、前記透過部材の取り付けられた領域を除く領域に敷設されることを特徴とする請求項１記載の遊技機。
【請求項３】
前記圧力検出手段が、前記固定枠又は前記扉体の変形に伴って圧力を受けた場合においても信号を出力することを特徴とする請求項１又は請求項２記載の遊技機。
【請求項４】
前記圧力検出手段が、圧電素子であり、
前記圧電素子が貼り付けられ、定常状態で、前記圧電素子の平面性を維持すると共に、前記扉体の裏面への取り付け位置を案内するガイドプレートをさらに有することを特徴とする請求項１〜請求項３の何れか１項記載の遊技機。
【請求項５】
前記圧力検出手段から出力される信号を取り込む取込手段と、
前記圧力の許容値に相当する基準信号を記憶する記憶手段と、
前記取込手段で取り込んだ信号と、前記記憶手段に記憶された基準信号とを比較する比較手段と、
前記比較手段での比較の結果、前記取込手段で取り込んだ信号が、予め定めた基準信号以上となった場合に異常と判定する判定手段と、
前記判定手段で少なくとも異常とされた場合に報知する報知手段と、
をさらに有する請求項１〜請求項４の何れか１項記載の遊技機。
【発明の詳細な説明】
【技術分野】
【０００１】
本発明は、遊技盤が着脱可能な固定枠に対して開閉自在に取り付けられる扉体とを備えた遊技機に関するものである。
【背景技術】
【０００２】
遊技機、特にパチンコ機において、通常遊技では特別図柄始動入賞口に入賞させることを主たる目的として遊技を進行させる。遊技の進行とは、受皿に貯留された遊技球を、通路に沿って順次発射装置へ送り出し、遊技盤面上に遊技球を発射することを言う。
【０００３】
遊技盤面上の遊技球は、釘、風車、役物等の様々な障害物に当たり跳ね返り等を繰り返しながら落下し、前記特別図柄始動入賞口を代表とする入賞口、或いはアウト口へ案内される。
【０００４】
例えば、前記特別図柄始動入賞口に入賞した遊技球をセンサで検出すると、特別図柄抽選(当落抽選)が実行される。特別図柄抽選の結果、当たりとなると、大入賞口（アタッカー）が所定期間、所定回数開放され（１回の開閉を１ラウンドとし、一般に合計で２〜１６ラウンド程度の間で選択されて継続する。）、遊技球の入賞率を高める、遊技者に有利な状態とする機能（特別遊技状態）を持つパチンコ機がある。
【０００５】
なお、上記（特別図柄抽選に基づく遊技に対する有利、不利が確定する遊技仕様）は、遊技仕様の一例であり、他の遊技仕様として、遊技盤に設けた役物内に遊技球が流入し、当該流入した遊技球の動向如何により、遊技者に対する有利、不利が確定する遊技仕様がある。
【０００６】
ここで、いずれの遊技仕様であっても、遊技球の誘導は、前記障害物（特に、釘）の状態（跳ね返り方向、釘間の隙間等）が少なからず影響を及ぼす。このため、釘の位置を変更するような不正行為（不正具の侵入）に対して、対策をとる必要がある。
【０００７】
特許文献１には、遊技機における固定枠と開閉自在に取り付けられる扉体とを備え、固定枠又は扉体の一方の対向面に、動的、加重を検知可能なケーブル状の圧電センサを固定枠又は扉体の一方の外周に沿うよう設け、遊技機内に不正具が侵入されることを検知することで、不正行為を未然に防止することが記載されている。
【０００８】
また、特許文献２には、隙間から挿入されるピアノ線に当接することで可動して、圧電板を歪ませる可動部材を具備することが記載されている。
【０００９】
この特許文献２では、隙間からピアノ線が挿入され、そのピアノ線が可動部材の端片に当接して押圧されると、可動部材はコイルスプリングの付勢に抗して回転される。この回転により、可動部材のもう一方の端片の先端は圧電板に当接し押圧される。押圧された圧電板は変形を生じて電荷を発生し、その電荷を検出して電荷検出信号を発する。制御回路は、電荷検出信号を受信して、スピーカから警告音を発させたり、ランプを点灯或いは点滅させたりする。
【先行技術文献】
【特許文献】
【００１０】
【特許文献１】特開２００５−１７６９５４号公報
【特許文献２】特開２００８−０００３０８号公報
【発明の概要】
【発明が解決しようとする課題】
【００１１】
しかしながら、特許文献１及び特許文献２では圧電素子（圧電センサ、圧電板）を利用して、圧電素子の変形に対する電荷の発生を利用して、外部から侵入する不正具で圧電素子を歪ませる構造となっているものの、何れも、固定枠と扉体との隙間等、構造上発生する隙間からの侵入を対象としているものとなっている。
【００１２】
言い換えれば、構造上存在しない穴（加工穴）を形成し、当該加工穴から不正具を侵入させるといった不正行為に対しては、必ずしも有用とならない場合がある。
【００１３】
本発明は上記事実を考慮し、不正具の侵入経路を特定することなく、不正具の侵入を監視することができる遊技機を得ることが目的である。
【課題を解決するための手段】
【００１４】
本発明は、遊技盤が着脱可能な固定枠と、前記固定枠に対して開閉自在に取り付けられる扉体と、前記扉体を貫通して侵入し得る貫通部材に対峙するように設けられ、前記貫通部材から受ける圧力に応じて信号を出力する圧力検出手段と、を有している。
【００１５】
本発明によれば、遊技盤に貫通部材を到達させる場合、貫通部材が扉体を貫通して侵入することで達成し得る。そこで、扉体を貫通して侵入し得る貫通部材に対峙するように圧力検出手段を設けた。これにより、前記貫通部材が侵入すると、遊技盤到達前に圧力検出手段に当接することになる。このため、圧力検出手段は、貫通部材から受ける圧力によって信号を出力する。この信号によって、貫通部材の侵入を迅速に認識することができる。
【００１６】
本発明において、前記扉体には、前記固定枠に対する閉止状態で、前記遊技盤の遊技領域に対峙する領域に透過性を有する透過部材が取り付けられ、前記圧力検出手段が、前記扉体の裏面側において、前記透過部材の取り付けられた領域を除く領域に敷設されることを特徴としている。
【００１７】
扉体が合成樹脂製の場合、熱溶解して貫通孔が形成され、この貫通孔から貫通部材（例えば、線材）を侵入させた場合、当該貫通部材は遊技盤に届く前に圧力検出手段に圧力を加えることになり、圧力検出手段から出力する信号によって前記貫通部材の侵入を検知することができる。
【００１８】
また、本発明において、前記圧力検出手段が、前記固定枠又は前記扉体の変形に伴って圧力を受けた場合においても信号を出力することを特徴としている。
【００１９】
例えば、前記固定枠と前記扉体との閉止状態における当該固定枠と前記扉体と間をこじ開けようとすると、前記固定枠又は前記扉体の少なくとも一方が変形する。
【００２０】
この変形に伴って圧力検出手段も変形する。圧力検出手段の変形は、言い換えれば圧力付与であり、圧力検出手段から出力される信号によって前記固定枠又は前記扉体の少なくとも一方の変形を検知することができる。
【００２１】
さらに、本発明において、前記圧力検出手段が、圧電素子であり、前記圧電素子が貼り付けられ、定常状態で、前記圧電素子の平面性を維持すると共に、前記扉体の裏面への取り付け位置を案内するガイドプレートをさらに有することを特徴としている。
【００２２】
圧電素子は、貫通部材から受ける圧力によって電荷（電気信号）を発生し得る。言い換えれば、圧力検出手段としての機能を、圧電素子単体で持たせることができる。
【００２３】
圧電素子は、定常状態では、電荷が発生しない状態、すなわち、平面性を維持することが好ましい。また、圧電素子の敷設面に凹凸がある場合、ガイドプレートを凹凸と干渉しないように取り付けることで、例えば、圧電素子の平面性を維持しつつ、扉体の凹凸領域にも対応して設けることができる。
【００２４】
また、本発明において、前記圧力検出手段から出力される信号を取り込む取込手段と、
前記圧力の許容値に相当する基準信号を記憶する記憶手段と、前記取込手段で取り込んだ信号と、前記記憶手段に記憶された基準信号とを比較する比較手段と、前記比較手段での比較の結果、前記取込手段で取り込んだ信号が、予め定めた基準信号以上となった場合に異常と判定する判定手段と、前記判定手段で少なくとも異常とされた場合に報知する報知手段と、をさらに有している。
【００２５】
例えば、圧電素子から発生する電荷は、圧力に応じた信号である。すなわち、例えば、電荷を電圧値に置き換えれば、受けた圧力にほぼ正比例の関係で電圧値が上昇する。
【００２６】
そこで、取込手段により圧力検出手段から出力される信号取り込む。一方、圧力（変形量）の許容値に相当する基準信号を、記憶手段に記憶しておき、この基準信号と取込手段で取り込んだ信号と比較手段で比較する。
【００２７】
比較手段での比較の結果、信号が基準信号以上となった場合に異常と判定し、少なくとも、異常判定の場合に報知手段で報知する。なお、例えば、ランプの色により、緑色は正常判定、赤色は異常判定といったように、正常判定時も報知するようにしてもよい。
【００２８】
上記監視制御を、例えば、遊技機の電源投入中に常に実行することで、貫通部材の侵入等を迅速に検知し、未然に不正行為等を防止することができる。なお、店員が球詰まり解消作業のために扉体を開放したり、閉止したりする動作で圧電素子に圧力が加わる可能性がある場合、この解消作業中は監視制御を中断可能に切替制御できるようにしてもよい。
【発明の効果】
【００２９】
以上説明した如く、本発明によれば、不正具の侵入経路を特定することなく、不正具の侵入を監視することができるという優れた効果を有する。
【図面の簡単な説明】
【００３０】
【図１】本実施の形態に係るパチンコ機を正面から見た場合の斜視図である。
【図２】本実施の形態に係るパチンコ機の一体扉を開放したときの斜視図である。
【図３】本実施の形態に係る一体扉ユニットの背面側から見た正面図である。
【図４】図３の矢印ＩＶ方向から見た一体扉ユニットの側面図である。
【図５】本実施の形態に係る制御系のブロック図である。
【図６】（Ａ）は圧電素子の基本構造を示す斜視図、（Ｂ）は圧電素子における変形量−出力値（電圧）特性図である。
【図７】主制御部で実行される圧電素子変形監視制御ルーチンを示すフローチャートである。
【図８】変形例に係る一体扉ユニットの背面側から見た正面図である。
【発明を実施するための形態】
【００３１】
（パチンコ機１０の全体構成）
図１および図２に示される如く、パチンコ機１０は、矩形状の外枠１１Ａ及び内枠１１Ｂを備えた本体枠１０Ａと、一体扉ユニット１０Ｂとを備え、本体枠１０Ａ（外枠１１Ａ、内枠１１Ｂ）、並びに一体扉ユニット１０Ｂは、それぞれヒンジ１０Ｃを介して取り付けられている。このため、内枠１１Ｂは外枠１１Ａに対して、並びに、一体扉ユニット１０Ｂは内枠１１Ｂに対して、それぞれヒンジ１０Ｃの軸部を中心に回転可能とされている。なお、図１は、ヒンジ１０Ｃを中心に一体扉ユニット１０Ｂを回転させて、閉止したときの状態であり、図２は、ヒンジ１０Ｃを中心に一体扉ユニット１０Ｂを回転させて、開放したときの状態である。
【００３２】
パチンコ機１０の一体扉ユニット１０Ｂの前面下部には、化粧パネルとなる下飾り１２が取り付けられている。
【００３３】
また、パチンコ機１０の下飾り１２の上部には、ガラス板１４を装着したガラス枠１６が配置されている。このガラス枠１６の奥側には、着脱交換可能な遊技盤１８（詳細は省略）がセットされており、遊技盤１８の遊技領域は、ガラス枠１６で閉塞された状態でガラス板１４に対向するようになっている。
【００３４】
また、ガラス枠１６における左右の側部、並びに上部には、電飾装置５１、５２が取り付けられている。電飾装置５１、５２は、図示しないベース部に対して、立体的に突出したレンズカバーが取り付けられた構造となっている。
【００３５】
電飾装置５１のベース部には、図示しない電気配線基板が設けられ、当該電気配線基板には、電気部品としての光源が取り付けられている。このため、レンズカバーに閉塞された空間内で光源が点灯すると、レンズカバーによる光の屈折等により、遊技者に対して光の演出が実行されるようになっている。
【００３６】
受け皿ユニット２４には、上皿部２８が設けられている。上皿部２８には、球抜きボタン３６Ａが設けられ、この球抜きボタン３６Ａを操作することで、上皿部２８に貯留された遊技球を下皿部２９へ案内することができるようになっている。
【００３７】
下皿部２９には、球抜きレバー３６Ｂが設けられ、この球抜きレバー３６Ｂを操作することで、下皿部２９に貯留された遊技球を外部（例えば、所謂「ドル箱」）へ排出することができるようになっている。
【００３８】
受け皿ユニット２４の図１の右側下部には打球の発射力（飛距離）を調整するためのグリップユニット２６（「（発射ハンドル２６」という場合がある）」が取り付けられている。
【００３９】
また、受け皿ユニット２４における上皿部２８には、遊技者が押圧操作又は回転操作可能な操作部５０が設けられている。この操作部５０は、遊技中において、操作有効期間中に操作することで、演出画像に対して介入することができるようになっており、それぞれの遊技仕様によって設定される。
【００４０】
図２に示される如く、開放された状態の一体扉ユニット１０Ｂの裏面側は、正面側に配置されたガラス枠１６（ガラス板１４を含む）や電飾装置５１、５２等を取り付けるための合成樹脂製のプレート６０が露出されている。
【００４１】
プレート６０は、矩形状の主面の周縁に沿ってリブ６０Ａが突出するように形成されている。このリブ６０Ａの突出端面に突き当てられるように、圧電素子ユニット６２が取り付けられている。圧電素子ユニット６２は、平板状の基板となるガイドプレート６４と、ガイドプレート６４における一体扉ユニット１０Ｂの裏面側に対向する面側に設けられた圧電素子シート６６とを備えている。なお、圧電素子シート６６は、受け皿ユニット２４に対応する領域は省略してもよい。
【００４２】
図３に示される如く、この圧電素子ユニット６２は、その周縁が、前記リブ６０Ａの突出先端に突き当てられることで、一体扉ユニット１０Ｂに固定される。
【００４３】
なお、前記プレート６０の主面には、各種部品を取り付けるためのベースやブラケット等になるように凹部及び凸部が形成されている。しかし、図４に示される如く、凸部６０Ｂは、基本的には、前記リブ６０Ａの突出寸法よりも低く、圧電素子ユニット６２との干渉はない構造となっている。なお、設計上、凸部６０Ｂがリブ６０Ａよりも高くなる場合は、圧電素子ユニット６２に、当該凸部６０Ｂの領域に沿って貫通孔（図示省略）を設ければよい。また、配線やスピーカの音伝搬路等、設計上貫通させる必要がある場合においても同様に、貫通孔（図示省略）を設ければよい。
【００４４】
圧電素子ユニット６２のガイドプレート６４と圧電素子シート６６とは基本的に同一の形状となっている。
【００４５】
ここで、圧電素子ユニット６２は、図３に示される如く、受け皿ユニット２４に対向する部分には存在しない。すなわち、受け皿ユニット２４の表裏面は、遊技球が行き来する流路が存在するため、圧電素子ユニット６２によって塞ぐことができない。
【００４６】
そこで、本実施の形態の圧電素子ユニット６２は、受け皿ユニット２４の領域では、その周囲を縁取るように設けられている。
【００４７】
上記構造により、圧電素子ユニット６２は、一体扉ユニット１０Ｂの裏面側において、必要十分な領域に配置されるようになっている。
【００４８】
圧電素子ユニット６２の機能の詳細については後述するが、前述の「必要十分な領域に配置」の定義としては、例えば、施錠されている一体扉ユニット１０Ｂを無理矢理こじ開けようとしたとき、並びに、一体扉ユニット１０Ｂの前面から開けられた穴から挿入される線材が突き当てられたときを含み、その圧力によって圧電素子シート６６が、予め定められた以上の物理的な変形（歪み）が発生し得る配置である。
【００４９】
次に、図５を用いてパチンコ機１０の制御系について説明する。
【００５０】
本実施の形態に係るパチンコ機１０の制御系は、図５に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００５１】
主制御部１５０からは外部端子１９０を介してホールコンピュータ（図示省略）へ遊技の進行状態を示す情報（始動入賞信号や大当たり信号、図柄確定回数信号等）が送信される。
【００５２】
主制御部１５０には、入力系として、遊技盤１８に設けられた各種センサを含む遊技盤センサ７０が接続される。
【００５３】
遊技盤センサ７０は、遊技仕様に基づいて遊技盤１８に取り付けられる複数のセンサを総称するものである。例えば、特別図柄始動入賞口に入賞することを契機として実行される特別図柄抽選に当選すると、通常は閉止されている大入賞口（アタッカー）を所定期間可能して入賞球数を増大させる遊技仕様がある。
【００５４】
この遊技仕様においては、通過ゲートセンサ、始動入賞センサ、アタッカーセンサを含む。また、遊技仕様に関わらず、入賞することで一定の賞球をもたらす一般入賞口センサも含む。なお、センサの種類は上記に限定されるものではなく、遊技仕様によって異なるし、同じ遊技仕様であってもパチンコ機１０のテーマによって異なる場合がある。
【００５５】
また、主制御部１５０には、直接遊技の進行を左右する遊技盤デバイス７１（モータ、ソレノイド）が接続されている。なお、デバイスの種類は上記限定されるものではない。
【００５６】
演出制御部１５２には、入力系演出用デバイス７２と出力系演出デバイス７４が接続されている。入力系演出用デバイス７２としては、遊技者が操作可能な操作部５０（図１参照）、タッチパネル等が挙げられる。
【００５７】
また、出力系演出用デバイス７４としては、電飾装置５１，５２（図１参照）、画像を表示して演出を実行するＬＣＤやＬＥＤを代表とする表示装置、所謂ギミックと称され機械的に動作して演出する可動役物関連モータやソレノイド、並びに、スピーカ等を挙げることができる。
【００５８】
なお、演出制御部１５２に接続されるデバイスは上記限定されるものではなく、出力系として、パチンコ機１０の各種遊技部品に設けられた照明演出用の光源、前述した遊技仕様における特別図柄抽選実行が保留されていることを示す保留ランプユニットを接続してもよい。
【００５９】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射強度を制御する。
【００６０】
さらに、払出制御部１５４では、外部端子１９１（前述の外部端子１９０と共通でもよい）を介して払出情報をホールに設置されたホールコンピュータ（図示省略）へ送信するようになっている。
【００６１】
図６には圧電素子の基本的構造とその機能が示されている。
【００６２】
図６（Ａ）に示される如く、基本構造の圧電素子８０は、薄膜のフィルム８２に検出素子８４が埋め込まれており、その形状は任意に作製することが可能である。本実施の形態の圧電素子シート６６は、基本的には、一体扉ユニット１０Ｂ（の裏面側）のガラス板１４以外の形状に合わせて作製され、必要に応じて貫通孔が設けられる。
【００６３】
図６（Ａ）における圧電素子８０（検出素子８４）は、平面性を維持する定常状態に対して、圧力を加えると、当該圧力による変形量に応じて（ほぼ正比例して）、表面電荷が変化する。
【００６４】
検出素子８４には、一対の端子８６Ａ、８６Ｂが接続されており、フィルム８２の一部から突出されている。この一対の端子８６Ａ、８６Ｂは、図示しない増幅器に接続されて、当該一対の端子８６Ａ、８６Ｂ間から出力される表面電荷信号が増幅されて、所望の電圧値で出力されるようになっている。
【００６５】
本実施の形態では、この図６（Ａ）で示した基礎となる圧電素子８０と同様に、圧電素子シート６６に端子（図示省略）を設け、当該端子を主制御部１５０（図５参照）に接続し、主制御部１５０において、圧電素子シート６６に加わる圧力によって起こる変形を監視するようにしている。なお、圧電シート６６の端子は、主制御部１５０に限らず、演出制御部１５２に接続するようにしてもよい。また、主制御部１５０と演出制御部１５２の両方に接続するようにしてもよい。
【００６６】
図６（Ｂ）は、本実施の形態に係る圧電素子８０（圧電素子シート６６も同様）の変形量に対して発生する電荷量（電圧値）の一例を示している。図６（Ｂ）に示される如く、圧電素子８０（圧電素子シート６６）が平面性を維持しているときは電圧は０Ｖであり、出力値の傾向は、変形量にほぼ正比例することがわかる。
【００６７】
本実施の形態では、主制御部１５０に、予めしきい値（基準信号）を記憶しておき、圧電素子シート６６の変形量を常に監視する。
【００６８】
より具体的には、施錠されている一体扉ユニット１０Ｂを無理矢理こじ開けようとしたときに圧力を受けて生じる変形（図４（Ｂ）に示される異常状態１参照）、或いは、一体扉ユニット１０Ｂに空いた穴から挿入される線材が突き当てられたときに圧力を受けて生じる変形（図４（Ｃ）に示される異常状態２参照）によって発生する電圧値をしきい値として記憶する。
【００６９】
ここで、主制御部１５０では、パチンコ機１０に電源が投入されている間、常に圧電素子シート６６の変形監視制御を実行する。なお、手動によって、監視制御の時期を調整してもよい。例えば、球詰まり等を解消するために、店員が意図的に一体扉ユニット１０Ｂを開ける作業が必要な期間は監視制御を解除することが好ましい。
【００７０】
以下に、本実施の形態の作用を説明する。
【００７１】
遊技者は、パチンコ機１０に対峙して着座し、受け皿ユニット２４の上皿部２８に、遊技球が貯留されていることを確認し、グリップユニット２６を把持して回転させることで、発射装置が作動して、上皿部２８に貯留されている遊技球が１個ずつ、１００個／１分の速度で遊技盤１８面に打ち出される（弾球操作）。
【００７２】
遊技盤１８面では、遊技球が基本的には自重により上から下へ落下し、様々な障害物に当たって予期せぬ方向へ跳ね返りながら、入賞口又はアウト口へ案内される。
【００７３】
遊技球が入賞口に案内されると、回収される見返りとして、予め定めた数の賞球を受けたり、内部的な抽選の権利が付与される。一方、アウト口に案内された遊技球は、単純に回収される。
【００７４】
遊技盤１８は、例えば、遊技仕様によって構造が異なる。遊技仕様の一例としては、遊技盤１８に特別図柄始動入賞口、アタッカーが設けられ、特別図柄始動入賞口に入賞することを契機として特別図柄抽選が実行され、抽選結果をＬＣＤ上の画像で演出を交えて報知すると共に、前記特別図柄抽選に当選すると、通常は閉止されている大入賞口（アタッカー）を所定期間開放して入賞球数を増大させる遊技仕様がある。
【００７５】
或いは、他の遊技仕様としては、通常は羽根部材によって流入が阻止された役物装置を備え、遊技盤１８上の特定の入賞口に遊技球が入賞すると、羽根部材が所定期間開放することによって遊技球が流入可能となり、流入した場合の遊技球の物理的な流動を楽しみ、結果としてＶ入賞口に入賞した場合に多くの賞球を受けることができる遊技仕様がある。
【００７６】
何れにしても、遊技者は遊技球が所望の入賞口に入賞することを期待することとなる。
【００７７】
ここで、不正行為として、一体扉ユニット１０Ｂが閉止されている状態で、遊技盤１８面の例えば釘をピアノ線等を介して操作される場合がある。
【００７８】
不正行為とは、図４（Ｂ）に示される如く、施錠されている一体扉ユニット１０Ｂを無理矢理こじ開けて隙間を作り、当該隙間からピアノ線を挿入する行為（異常状態１）、或いは、図４（Ｃ）に示される如く、一体扉ユニット１０Ｂに正面から穴を開け、開いた穴からピアノ線を挿入する行為（異常状態２）を含む。
【００７９】
そこで、本実施の形態では、上記不正行為において、ピアノ線が遊技盤１８に届く前にこれを検知する機能を設置した。
【００８０】
すなわち、一体扉ユニット１０Ｂの裏面側の合成樹脂製のプレート６０に対して、圧電素子ユニット６２を設けた。
【００８１】
圧電素子ユニット６２は、プレート６０の矩形状の主面の周縁に沿って形成されたリブ６０Ａの突出端面に突き当てられるように取り付けられている。
【００８２】
プレート６０の主面には、各種部品を取り付けるためのベースやブラケット等になるように凹部及び凸部が形成されているため、圧電素子ユニット６２と干渉する可能性がある。
【００８３】
ところが、凸部６０Ｂ（図４参照）は、基本的には、リブ６０Ａの突出寸法よりも低く、圧電素子ユニット６２との干渉はない。なお、設計上、凸部６０Ｂがリブ６０Ａよりも高くなる場合は、圧電素子ユニット６２に、当該凸部６０Ｂの領域に沿って貫通孔を設ければよい。また、配線やスピーカの音伝搬路等、設計上貫通させる必要がある場合においても同様に、貫通孔を設ければよい。
【００８４】
上記構造により、圧電素子ユニット６２は、一体扉ユニット１０Ｂの裏面側において、例えば、施錠されている一体扉ユニット１０Ｂを無理矢理こじ開けようとしたとき、並びに、一体扉ユニット１０Ｂに空いた穴から挿入される線材が突き当てられたときを含み、圧電素子シート６６が、予め定められた以上の物理的な変形（歪み）が発生し得る配置（必要十分な配置）とすることができる。
【００８５】
圧電素子ユニット６２の圧電素子シート６６に取り付けられた一対の端子は、主制御部１５０に接続されており、この主制御部１５０において、圧電素子シート６６の変形の監視が実行される。すなわち、主制御部１５０には、予め不正行為の可能性のある変形量に応じたしきい値（電圧値）が記憶されており、基本的には、パチンコ機１０に電源が投入されている間、常に監視体制となる。
【００８６】
図７は、主制御部１５０における変形監視制御の流れを示すフローチャートである。
【００８７】
ステップ１００では、初期設定が実行される。初期設定は、例えば、圧電素子ユニット６２の圧電素子シート６６が、設置当初は平面性を維持しているが（図４（Ａ）の定常状態参照）、経時劣化により、定常的な変形によって変形が発生する場合がある。この場合、定常状態で電圧値が０Ｖにならない場合があり、しきい値の精度が悪くなる可能性がある。そこで、初期設定時は、電源投入時であり、不正が行われていない状態であると判断し、この初期設定時の電圧を定常状態としてしきい値を補正することで、常に、精度の高いしきい値とすることができる。なお、初期設定は必須ではない。
【００８８】
次のステップ１０２では、圧電素子シート６６の変形に応じた電圧値Ｖｐを読み込み、次いで、ステップ１０４へ移行して、主制御部１５０に予め記憶されているしきい値（電圧Ｖｏ）を読み出し、ステップ１０６へ移行する。
【００８９】
ステップ１０６では、前記圧電素子シート６６の変形に応じた電圧値Ｖｐと、主制御部１５０に予め記憶されているしきい値（電圧Ｖｏ）とを比較する。
【００９０】
このステップ１０６における比較の結果、Ｖｐ＜Ｖｏと判定された場合は、圧電素子シート６６の変形量は、しきい値に達しておらず、例えば、不正行為がないと判断し、ステップ１０２へ戻り、上記工程を繰り返す。
【００９１】
一方、ステップ１０６において、Ｖｐ≧Ｖｏと判定された場合は、圧電素子シート６６の変形量が、しきい値に達しており、例えば、不正行為の可能性があると判断し、ステップ１０８へ移行する。
【００９２】
ステップ１０８では、ホールコンピュータへ異常を報知し、次いで、ステップ１１０へ移行してパチンコ機１０に設置されているスピーカ、ランプ、表示装置の何れか、又はそれらの組み合わせによってエラー報知を行い、ステップ１０２へ移行する。
【００９３】
以上説明したように本実施の形態では、一体扉ユニット１０Ｂの裏面のほぼ全面に対して、圧電素子ユニット６２を配置することで、圧電素子シート６６の変形に起因する出力電圧を監視するようにした。この監視によって、例えば、施錠されている一体扉ユニット１０Ｂを無理矢理こじ開けて隙間を作り、当該隙間からピアノ線を挿入する行為（図４（Ｂ）の異常状態１参照）、或いは、一体扉ユニット１０Ｂに正面から穴を開け、開いた穴からピアノ線を挿入する行為（図４（Ｃ）の異常状態２参照）を含む不正行為に対して、圧電素子シート６６に変形が生じ、これを電気的（電圧値）に検出するため、迅速にエラー報知が実行可能であり、結果として、不正行為を未然に防止することができる。
【００９４】
なお、本実施の形態では、図３に示される如く、圧電素子シート６６を、ガイドプレート６４と同様に一体的に形成したが、図８に示される如く、複数の圧電素子シート（図８では、圧電素子シート６６Ａ〜６６Ｌ）を組み合わせてアッセンブリ化し、ガイドプレート６４の形状に合わせるようにしてもよい。製作工程作業を容易にすることができる。この場合、受け皿ユニット２４の領域を省略してもよい。また、補強のための凹凸は肉厚寸法が大きく、一体扉ユニット１０Ｂの表面から貫通孔を設け難いため、当該凹凸部分を予め回避して、平面の領域に特化して圧電素子シート６６を貼り付けるようにしてもよい。
【００９５】
さらに、図８に示される如く、圧電素子シート６６を分割した場合、主制御部１５０に接続する端子を共通としてもよいし、それぞれ別系統の配線で主制御部１５０に接続することで、変形が発生した箇所を特定することができる。例えば、一時的に変形が発生しエラー報知があったにも関わらず、痕跡が残らない場合、どの場所で変形が発生したかが不明となるが、圧電素子シート６６を区画して、それぞれ別系統の配線とすることで、変形箇所を特定することができる。変形箇所が特定された場合、その特定された部分に鉄板等を取り付けることで、同じ行為を防止することができる。特に、変形箇所が統計により特定箇所に集中している場合においては、当該特定箇所が不正行為を狙われる箇所であると認識することができ、以後の不正行為根絶の対策に有利となる。
【符号の説明】
【００９６】
１０    パチンコ機（遊技機）
１０Ａ    本体枠（固定枠）
１０Ｂ    一体扉ユニット（扉体）
１０Ｃ    ヒンジ
１１Ａ    外枠
１１Ｂ    内枠
１２    下飾り
１４    ガラス板（透過部材）
１６    ガラス枠
１８    遊技盤
２４    受け皿ユニット
２８    上皿部
２９    下皿部
３６Ａ    球抜きボタン
３６Ｂ    球抜きレバー
５０    操作部
５１、５２    電飾装置
６０    プレート
６０Ａ    リブ
６２    圧電素子ユニット
６４    ガイドプレート
６６    圧電素子シート（圧電素子）
７０    遊技盤センサ
７１    遊技盤デバイス
７２    入力系演出用デバイス
７４    出力系演出デバイス（報知手段）
８０    圧電素子
８２    フィルム
８４    検出素子
８６Ａ、８６Ｂ    端子
１５０    主制御部（取込手段、記憶手段、比較手段、判定手段）
１５２    演出制御部
１５４    払出制御部
１６０    払出装置
１６４    発射制御部
１６５    発射装置
１９０    外部端子（報知手段）
１９１    外部端子（報知手段）
【図１】
2015150037.tif 000003
【図２】
2015150037.tif 000004
【図７】
2015150037.tif 000005
【図３】
2015150037.tif 000006
【図４】
2015150037.tif 000007
【図５】
2015150037.tif 000008
【図６】
2015150037.tif 000009
【図８】
2015150037.tif 000010